(57)【要約】【課題】            投球等の肩を回す運動時に、縫製ラインによる違和感や伸縮抵抗を覚えることなく、肩甲骨付近の筋肉の移動がスムーズになり、動作をより軽快に行うことができるシャツを提供することを目的とする。【解決手段】        複数の部材によって形成されるシャツにおいて、連続編成された一本の筒状丸編地からなり、前記筒状丸編地上の中央部領域を略逆Ｕ字型形状に裁断した筒状袖部と、連続編成された一本の筒状丸編地からなり、前記筒状丸編地の筒上端部は前記筒状袖部の略逆Ｕ字型形状に適合するように裁断した筒状身頃部との二つの部材を含み、各部材を縫製により一体化したことを特徴とするシャツである。【選択図】          図３
2005290592.tif 000002
【特許請求の範囲】
【請求項１】
複数の部材によって形成されるシャツにおいて、少なくとも以下Ａ、Ｂの二つの部材を含むことを特徴とするシャツ。
（Ａ）連続編成された一本の筒状丸編地からなり、前記筒状丸編地上の中央部領域を略逆Ｕ字型形状に裁断した筒状袖部。
（Ｂ）連続編成された一本の筒状丸編地からなり、前記筒状丸編地の筒上端部は前記筒状袖部の略逆Ｕ字型形状に適合するように裁断した筒状身頃部。
【請求項２】
シャツを構成する各部材をストレッチ素材で構成したことを特徴とする請求項１に記載のシャツ。
【請求項３】
シャツを構成する各部材を縫製によって一体化したことを特徴とする請求項１又は２に記載のシャツ。
【請求項４】
前記筒状袖部と筒状身頃部との背面側の縫製ラインが、肩甲骨領域よりも下側に位置することを特徴とする請求項１乃至３のいずれかに記載のシャツ。
【請求項５】
前記シャツが着用者の上半身の表面にほぼ密着した状態で着用されることを特徴とする請求項１乃至４のいずれかに記載のシャツ。
【請求項６】
前記シャツが長袖又は半袖であることを特徴とする請求項１乃至５のいずれかに記載のシャツ。
【発明の詳細な説明】
【技術分野】
【０００１】
本発明は、部分的に裁断した複数の筒状丸編地を縫製によって一体化したことを特徴とするシャツに関するものである。
【背景技術】
【０００２】
筒状丸編地を組合せて構成されるシャツは従来から提案されている。例えば、人間の腕の太さに近い直径の筒状丸編地を使って袖部を構成し、胴体の太さに近い直径の筒状丸編地を使って身頃部を編成し、それらの部材を縫製で組合せる際の縫着線（縫い目）を想定して、適当な形状に裁断した後に、それらを縫製し一体化することでシャツを構成していた。編地にはナイロン、ポリエステル、綿等の糸に伸縮性の高いポリウレタン糸を組合せて使用すれば、身体にフィットして、運動性を阻害しない伸縮性の高い編地とすることが可能である。製品としては女性、男性用カジュアルアンダーシャツ、野球、ゴルフ等のスポーツアンダーシャツ等様々なものがあるが、いずれも少なくとも左右の袖２本、身頃部一本の部材によって構成されている。
左右２本の袖部を身頃部に縫着するための縫着線の配置としては、セットインタイプと呼ばれる方法（特許文献１の図１（Ａ）に記載）、ラグランタイプと呼ばれる方法（特許文献２の図２に記載）がある。
セットインタイプは肩から脇にかけて円周状に縫着線が存在する構造、ラグランタイプは袖部が同時に肩部も構成する構造になっているが、どちらのタイプも縫着線が肩から腕にかけての運動量の多い部分に配置されている。
【特許文献１】実用新案登録第３０８１３５３号公報
【特許文献２】実用新案登録第３０６２０９７号公報
【発明の開示】
【発明が解決しようとする課題】
【０００３】
袖部と身頃部とを繋ぐ縫着線は、編地と比較して伸縮性がなく、どうしても凹凸が生じてしまうので、着用者の肌表面にほぼ密着した状態で着用されるシャツにおいては快適な着用感が得られず、運動性を阻害する要因となっていた。特に前記のセットインタイプやラグランタイプにおいては、背面の肩甲骨付近の運動量が多い領域に縫着線が存在するので、野球やゴルフ等、腕を前方や左右に大きく振り出す運動をする競技時においては、運動性が大きく阻害されることになる。そこで、上半身の表面にほぼ密着した状態で着用されるシャツにおいて、後背部から肩にかけて、縫目を可能な限り少なくしたシャツが求められていた。
【課題を解決するための手段】
【０００４】
前記の課題を解決するために、本発明に係るシャツは、筒状丸編地で構成された複数の部材によって形成されるシャツにおいて、少なくとも以下Ａ、Ｂの二つの部材を含むことを特徴とするシャツである。
（Ａ）連続編成された一本の筒状丸編地からなり、前記筒状丸編地上の中央部領域を略逆Ｕ字型形状に裁断した筒状袖部。
（Ｂ）連続編成された一本の筒状丸編地からなり、前記筒状丸編地の筒上端部は前記筒状袖部の略逆Ｕ字型形状に合わせて裁断した筒状身頃部。
【発明の効果】
【０００５】
本発明のシャツでは、筒状袖部と筒状身頃部との背面側の縫製ラインが、着用者の肩甲骨領域よりも下側に位置するので、投球時等に肩を回す際に、縫製ラインによる違和感や伸縮抵抗を覚えることなく、肩甲骨付近の筋肉の移動がスムーズになり、投球動作をより軽快に行うことができる。
【発明を実施するための最良の形態】
【０００６】
以下、本発明の実施の形態について説明する。本発明のシャツは、複数の部材によって形成されるシャツであって、筒状丸編地で構成された部材である筒状袖部と筒状身頃部の二つの部材を少なくとも含むことを特徴とする。
【０００７】
筒状袖部は、一方の腕側から他方の腕側まで至るように連続編成された一本の筒状丸編地からなり、筒状の丸編地の左右両端側の筒部がシャツ形成時に左右の腕部に該当する。左右両端側の筒部に挟まれた中央部領域を略逆Ｕ字型形状に裁断した後、裁断ラインに沿った形状の筒状身頃部と一体化し、シャツを形成する。筒状袖部の丸編地は略逆Ｕ字型形状に裁断するので、左右の筒部が完全に分断されることなく、中央部領域で繋がった形状となる。
【０００８】
本発明でいう略逆Ｕ字型形状とは、図１（ａ）に太線で示したように、丸編地の左右両端側の筒部に挟まれた中央部領域において、軸方向の辺とその両端部につながる径方向の辺とで構成される。軸方向の辺と径方向の辺とを結ぶ部分は図１（ａ）では円弧状となっているが、直線を結ぶことにより角度を持った形状とすることも可能である。
【０００９】
筒状身頃部は、一本の連続編成された筒状丸編地からなり、筒部が着用者の胴体部を包むように構成される。筒状丸編地の筒上端部を前記筒状袖部の略逆Ｕ字型形状に適合する形状に裁断し、裁断ラインに沿って縫製等により筒状袖部と一体化する。
【００１０】
本発明のシャツは、シャツを構成する各部材をストレッチ素材で構成することが好ましい。ストレッチ素材としては、縦方向及び横方向に伸縮する２ウェイストレッチ編物から選ばれる少なくとも一つの生地であることが好ましい。前記２ウェイストレッチ編物は、ポリエステル繊維糸と弾性糸とを主成分構成糸とするか、またはナイロン繊維糸と弾性糸とを主成分構成糸としてもよい。ここで、主成分構成糸とは、両成分を合計すると８０重量％以上になることをいう。ポリエステル繊維糸を用いた場合は、汗をかいても乾き易い。ナイロン繊維糸を用いた場合は、軟らかなタッチの編物となる。
【００１１】
前記編物の組織はどのようなものであっても良い。天竺、鹿の子組織等のシングル編組織、スムース、リブ組織等のダブル編組織を挙げることができる。シングル編組織は、表面を編成する編み針しか配されておらず、基本的には１層の編物しか編成できないが、１つの給糸口から表面を構成する糸、裏面を構成する糸を編機に給糸することで表面と裏面を異なる糸で構成することも可能である。例えば、天竺組織で表面にポリエステル糸、裏面にポリウレタン糸を配するといわゆるストレッチ天竺（ベア天竺）を編成することができる。
ダブル編組織は、表面を編成する編み針と裏面を編成する編み針の両方が編機に配されているので表面と裏面の２層の編物を編成でき、それぞれの編組織を変えることができる。例えば、表面に綿糸、裏面にポリエステル糸をメッシュ調に、表面、裏面をつなぐ糸にポリウレタンのポリエステルカバーリング糸を配すると、表プレーン裏メッシュの発汗時も肌にべたつきにくい編組織の生地を編成することができる。
【００１２】
前記編物は、ポリウレタン糸等の伸縮性を有する弾性糸を少なくとも一部に使用しているものが好ましい。
【００１３】
使用可能な編機は丸編機に限定される。筒状袖部を編成する編機としては、釜径が４インチ前後の丸編機、具体的にはイタリアＬＯＮＡＴＩ社製のＬシリーズ等が挙げられる。筒状身頃部を編成する編機としては、釜径が１３インチ前後の丸編機、具体的にはイタリアＳＡＮＴＯＮＩ社製のＳＭシリーズ等が挙げられる。これらの丸編機はコンピュータ制御もしくは機械的制御で編み針の動きを制御することが可能で、任意の箇所を任意の編組織で編成することが可能である。また、任意の場所を任意の糸で編成すること、任意の箇所の編条件を変えて立体的に膨らませた状態で編成することも可能である。
【００１４】
以上のように編成された筒状丸編地は、プレセット工程で型板にはめた状態で加熱され、セットすることが望ましい。ポリエステル、ナイロン等の合成繊維は、加熱すると繊維が収縮する性質があるので、これらの糸で編成されたループが締まって生地が安定する。プレセットの目的は、染色工程で生地に染色液中で物理的力が加わっても、ある程度の寸法安定性を得ることである。
【００１５】
次に染色工程であるが、ドラム型の染色機で筒状丸編地をネットに入れ染色する。このときに吸汗性、抗菌防臭性等の薬剤を投入し、これらの機能を生地に付与することも可能である。先染めの糸のみを使用する場合は、前記二工程は省略される。
【００１６】
次にファイナルセット工程となる。プレセット工程と同様に型板に筒状丸編地をセットして加熱する。このファイナルセットで使用する型板の大きさを変えることでサイズ調整をすることも可能である。
以上の工程を経て筒状丸編地が完成し、次に裁断工程で裁断された後、縫製工程で縫製される。
【００１７】
本発明のシャツでは、シャツを構成する各部材は、縫製によって一体化することが好ましい。縫製方法としては、本縫い、環縫い、１本針オーバーロック、２本針オーバーロック、フラットシーマ等の縫目を形成するミシンで縫着する方法があげられるが、縫目の種類は特にこれらに限定されるものではない。ただ、縫目もストレッチ性を有し、着用時に違和感を感じにくい１本針オーバーロック、２本針オーバーロック、フラットシーマを採用するのが望ましい。
【００１８】
また縫製に限らず接着によって、各部材を一体化することも可能である。接着方法としては、一体化したい二種類の部材にのりしろを設け、熱によって融解し、冷却後生地に浸透して凝固するポリウレタン製の熱融解性のシームテープをのりしろの生地の間にはさみ、熱プレスすることで生地を接着できる熱圧着法があげられるが、縫着同様のりしろにストレッチ性をもたせ、着用時の違和感をなくすことが望ましい。
【００１９】
前記の縫製方法と接着方法は複数の方法を組み合わせて用いることも可能である。
【００２０】
本発明のシャツでは、筒状袖部と筒状身頃部との背面側の縫製ライン（接着で一体化した場合は接着ラインとする。）が、肩甲骨領域よりも下側に位置することを特徴とする。例えば、野球等の球技では、投球時に肩を回す際に、肩甲骨は背中中央部付近から腕方向へスライドするがごとく移動し、その動きに付随して肩甲骨付近の各種の筋肉も移動する。これら筋肉の移動がスムーズであれば肩を回しやすく、投球動作をより軽快に行うことができる。
本発明のシャツでは、縫製ラインは肩甲骨領域よりも下側に配置するので、縫製ラインによる着用時の違和感や投球動作などの際の伸縮抵抗を覚えることがなく、投球動作などをスムーズに行うことができる。
【００２１】
本発明のシャツは、着用者の上半身の表面にほぼ密着した状態で着用されることが好ましい。「ほぼ密着」の状態を作るには、人体の裸のサイズに対して、周囲方向は５０％以上１１０％以下、さらに好ましくは７０％以上９５％以下、丈は７５％以上１００％以下、さらに好ましくは８５％以上１００％以下としてシャツを形成する。もちろん人体のサイズは個人差があるので、前記の比率は目安である。
【００２２】
本発明のシャツでは、袖の長さは特に限定はされず、長袖から半袖の間の長さであればよい。また袖なし形状とすることもできる。
【実施例】
【００２３】
以下、図を用いて本発明のシャツの実施例を具体的に説明する。
【００２４】
（実施例１）
図１（ａ）は筒状袖部に用いる丸編地の正面図、図１（ｂ）は筒状袖部の正面図、図１（ｃ）は筒状袖部の背面図を示している。
図１（ａ）に示したように、筒状袖部に用いる丸編地は、一方の腕側から他方の腕側まで至るように連続編成された一本の筒状丸編地１０からなり、丸編地の中央上部にはシャツにした際の首用の穴１２を設けた。
【００２５】
左右両端側の筒部は一方が右腕部１１、他方が左腕部１３に該当する。左右の腕部に挟まれた中央部領域を略逆Ｕ字型形状に裁断し、底辺ライン１５を境界として、裁断ライン１４（図では太線で表示）から矢印１６のように編地を開き、図１（ａ）（ｂ）に示した筒状袖部１とした。筒状丸編地１０は裁断ライン１４に示すように略逆Ｕ字型形状に裁断したので、右腕部１１と左腕部１３とは完全に分断されることなく、中央部領域で繋がっている。
【００２６】
筒状袖部１は、正面側の裁断ライン１４ａで筒状身頃部の前身頃部分と、背面側の裁断ライン１４ｂで筒状身頃部の後身頃部分と一体化する。
【００２７】
図２（ａ）は筒状身頃部の正面図、図２（ｂ）は筒状身頃部の背面図を示している。
図２（ａ）に示したように、筒状身頃部２は一本の連続編成された筒状丸編地２２からなり、前身頃２３と後身頃２４とで構成する。上端部は図１で説明したところの筒状袖部の裁断ライン１４に適合する形状で裁断され、裁断ライン２１（前身頃側２１ａ、後身頃側２１ｂ）を有する。
【００２８】
筒状袖部に用いた生地は、ロナティ社製のＬ４２８Ｒの４．２５インチの編機を用い、表面に東レ製ポリエステルフィラメント糸６８ｄｔｅｘ、フィラメント数７２（以下６８／７２と表記する）の先染め糸、裏面に東レ製のナイロン９／７を２本をポリウレタン糸３６／１に巻いたＤＣＹ糸を配したリバーシブル天竺組織で、混率はポリエステル６０％、ナイロン２５％、ポリウレタン１５％とした。
【００２９】
筒状身頃部に用いた生地は、イタリアＳＡＮＴＯＮＩ社製のＳＭ８．８の１３インチ編機を用い、筒状袖部に用いた生地と同様の編組織及び混率で形成した。
【００３０】
次にプレセット工程は、筒状袖部は首の部分を裁断して巾１０ｃｍ、高さ１００ｃｍのペアになった型板に裁断部からズボンをはかせる要領で装着し、筒状身頃部は、巾４０ｃｍ、高さ１００ｃｍの型板にそのまま装着する。両方とも１００℃で１分間加熱した。
【００３１】
プレセット後に、ネットに筒状袖部、筒状身頃部を同数入れ、スミスドラム型染色機酸性染料で裏のナイロンを染色した。
【００３２】
次に、染色した筒状袖部、筒状身頃部にファイナルセットを行った。方法はプレセットと同様である。その後、図１のように裁断して縫製する。
【００３３】
図３（ａ）はシャツにした状態の正面図、図３（ｂ）は同じく背面図を示している。
図１に示した筒状袖部と図２に示した筒状身頃部とをそれぞれの前身頃と後身頃の裁断ラインに沿って縫製により一体化し、襟部分３１を縫製により取り付けてシャツ３を形成した。縫着方法は、フラットシーマミシンを用い、針糸にポリエステルスパンライクフィラメント糸、上かがり糸と下かがり糸にウーリーナイロン糸を用いてフラットシーマの縫目で縫着した。
【００３４】
本実施例のシャツ３では、「ほぼ密着」の状態を作るため、人体の裸のサイズに対して、周囲方向は８０％、丈は９０〜９５％を目安に作製した。
【００３５】
本実施例のシャツ３では、背面側の縫製ラインが、肩甲骨領域よりも下側に位置し、左右の肩から肩甲骨にいたる領域に縫製や接着などの接合部分が存在しないので、投球動作などで肩を回す際に、肩甲骨付近の各種の筋肉の移動がスムーズになり肩を回しやすく、着用時の違和感等を覚えることがない。
【００３６】
（実施例２）
以下、別の実施例について説明する。図４（ａ）は筒状袖部に用いる丸編地の正面図、図４（ｂ）は筒状袖部の正面図、図４（ｃ）は筒状袖部の背面図を示している。
筒状袖部に用いる丸編地４０は、図１（ａ）で説明したところの丸編地と同様である。
【００３７】
本実施例の筒状袖部４では、左右の腕部４１、４３に挟まれた中央部領域を略逆Ｕ字型形状に裁断する際、首用の穴４２を含むように裁断ライン４４を設けた。このように裁断すれば、図１に示した場合と比べて後身頃側の縦方向の長さ４５をより長く確保できるので、身頃部との縫製ラインをより下側にすることができる。
なお、本実施例の筒状袖部４は、裁断ライン４４以外の構成に関しては、図１で説明したところの筒状袖部の構成と同様である。
【００３８】
図５（ａ）は筒状身頃部の正面図、図５（ｂ）は筒状身頃部の背面図を示している。
図５に示した筒状身頃部５の上端部は、図４で説明したところの筒状袖部４の裁断ライン４４に適合する形状で裁断するので、前身頃の裁断ライン５１ａは首用の穴に沿った形状となり、後身頃の裁断ライン５１ｂは図２に示した場合と比べて下側に位置することとなる。
なお、本実施例の筒状身頃部５は、裁断ライン５１以外の構成に関しては、図２で説明したところの筒状身頃部の構成と同様である。
【００３９】
図６（ａ）はシャツにした状態の正面図、図３（ｂ）は同じく背面図を示している。
図４で示した筒状袖部４と図５で示した筒状身頃部５をそれぞれの前身頃と後身頃の裁断ラインに沿って縫製により一体化し、襟部分６１を縫製により取り付けてシャツ６を形成した。縫製方法、人体の裸のサイズに対するサイズ等は図３で説明したところのシャツと同様である。
【００４０】
筒状袖部の略逆Ｕ字型の形状は、前記の各実施例に示した形状の幅や大きさに限定されるものではなく、本発明の目的が達成される範囲であれば、必要に応じて任意に変形できる。
【００４１】
襟部の形状は、図示したものに限らず、所謂ハイネック、タートルネック等必要に応じて任意の形状が可能である。
【図面の簡単な説明】
【００４２】
【図１】（ａ）は本発明に係るシャツの実施例の筒状袖部に用いる丸編地の正面図、（ｂ）は同じく筒状袖部の正面図、（ｃ）は同じく筒状袖部の背面図である。
【図２】（ａ）は本発明に係るシャツの実施例の筒状身頃部の正面図、図２（ｂ）は同じく筒状身頃部の背面図である。
【図３】（ａ）は本発明に係るシャツの実施例の正面図、図３（ｂ）は同じくシャツの背面図である。
【図４】（ａ）は本発明に係るシャツの別の実施例の筒状袖部に用いる丸編地の正面図、（ｂ）は同じく筒状袖部の正面図、（ｃ）は同じく筒状袖部の背面図である。
【図５】（ａ）は本発明に係るシャツの別の実施例の筒状身頃部の正面図、図２（ｂ）は同じく筒状身頃部の背面図である。
【図６】（ａ）は本発明に係るシャツの別の実施例の正面図、図３（ｂ）は同じくシャツの背面図である。
【符号の説明】
【００４３】
１、４    筒状袖部
２、５    筒状身頃部
３、６    シャツ
１０、２２、４０    筒状丸編地
１１、４１    右腕部
１２、４２    首用の穴
１３、４３    左腕部
１４、１４ａ、１４ｂ、２１、２１ａ、２１ｂ、４４、５１、５１ａ、５１ｂ    裁断ライン
１５    底辺ライン
２３    前身頃
２４    後身頃
４５    縦方向の長さ
３１、６１    襟部分
【図１】
2005290592.tif 000003
【図２】
2005290592.tif 000004
【図３】
2005290592.tif 000005
【図４】
2005290592.tif 000006
【図５】
2005290592.tif 000007
【図６】
2005290592.tif 000008